(57)【特許請求の範囲】
【請求項１】
ユーザ操作を受けてコンテンツを再生信号として再生処理する再生装置と、該再生装置から受けたコンテンツの再生信号を再現する出力装置とからなるコンテンツ再生システムであって、
前記再生装置は、
複数のチャネルを使用可能な無線送信手段と、
前記出力装置に対して、前記無線送信手段を介して、使用するチャネルを示すチャネル特定信号を送信するチャネル送信手段と
を含み、
コンテンツ送信に用いる使用するチャンネルの指定をユーザから受け付けて保持すると共に、
ユーザからのコンテンツの再生指示を受けて前記コンテンツを再生処理した再生信号を無線送信する際に、
コンテンツの送信に先だって再生チャンネルの特定に用いるチャネル特定信号を送信し、その後に前記コンテンツを再生処理した再生信号を、チャネル特定信号で指定したチャネルを用いて無線送信を行い、
前記出力装置は、
複数のチャネルを使用可能な無線受信手段と、
前記無線受信手段を介して、前記再生装置から送信された前記チャネル特定信号を受信し、使用するチャネルを判定するチャネル判定手段と、
を含み、
前記再生装置から送信された前記チャネル特定信号を検出できた際に、該チャネル特定信号で特定されたチャネルを選定すると共に、選定したチャネルから入力されてくる再生信号を前記ユーザに対して再現する
ことを特徴とするコンテンツ再生システム。
【請求項２】
請求項１記載のコンテンツ再生システムであって、
前記再生装置は、前記チャネル特定信号を、ユーザからの再生指示を受けた際に、所定のビットパターンでコンテンツの送信に先だって無線送信する
ことを特徴とするコンテンツ再生システム。
【請求項３】
請求項１又は２に記載のコンテンツ再生システムであって、
前記再生装置は、前記出力装置で使用するチャネルをロックするチャネルロック信号およびその解除を行なうロック解除信号を送信する手段を有し、
前記出力装置は、前記チャネルロック信号を受けた際に、ロック解除信号を受けるまで、使用するチャネルをロックする
ことを特徴とするコンテンツ再生システム。
【請求項４】
請求項１ないし３の何れか一記載のコンテンツ再生システムであって、
チャネル特定信号は、赤外線又はＦＭ波で送信されることを特徴とするコンテンツ再生システム。
【請求項５】
ユーザ操作を受けてコンテンツを再生信号として再生処理する再生装置と、該再生装置から受けた再生信号を受けてコンテンツをユーザに再現する出力装置と、を無線接続してコンテンツを再現可能とする送信装置および受信装置からなるコンテンツ無線中継システムであって、
前記送信装置は、
複数のチャネルを使用可能な無線送信手段と、
コンテンツ送信に用いる使用するチャンネルの指定を行なう入力手段と、
前記受信装置に対して、前記無線送信手段を介して、前記入力手段から指定された使用するチャネルを示すチャネル特定信号を送信するチャネル送信手段と、
前記再生装置からコンテンツの再生信号が入力される信号入力手段と、
前記信号入力手段から入力される再生信号を、前記無線送信手段で送信可能な所定の信号に変換する信号変換手段と
を備え、
前記受信装置は、
複数のチャネルを使用可能な無線受信手段と、
前記無線受信手段を介して、前記送信装置から送信された前記チャネル特定信号を受信し、使用するチャネルを判定するチャネル判定手段と、
前記無線受信手段から入力される前記送信装置が送信したコンテンツが変換された信号を、再生信号に復号する信号復号手段部と、
前記出力装置に前記再生信号を出力する信号出力手段と、
を備え、
前記再生装置から再生信号を受けて無線送信する際に、
前記送信装置は、
コンテンツの送信に先だって再生チャンネルの特定に用いるチャネル特定信号を送信し、その後に前記再生信号を、チャネル特定信号で指定したチャネルを用いて無線送信を行い、
前記受信装置は、
前記送信装置から送信された前記チャネル特定信号を検出できた際に、該チャネル特定信号で特定されたチャネルを選定すると共に、選定したチャネルから入力されてくる無線信号を再生信号に復号して、前記出力装置に出力する
ことを特徴とするコンテンツ無線中継システム。
【請求項６】
請求項５記載のコンテンツ無線中継システムであって、
前記送信装置は、前記チャネル特定信号を、ユーザからの再生指示を受けた際に、所定のビットパターンでコンテンツの送信に先だって無線送信することを特徴とするコンテンツ無線中継システム。
【請求項７】
請求項５又は６に記載のコンテンツ無線中継システムであって、
前記送信装置は、前記受信装置で使用するチャネルをロックするチャネルロック信号およびその解除を行なうロック解除信号を送信する手段を有し、
前記受信装置は、前記チャネルロック信号を受けた際に、ロック解除信号を受けるまで、使用するチャネルをロックする
ことを特徴とするコンテンツ無線中継システム。
【請求項８】
請求項５ないし７の何れか一記載のコンテンツ無線中継システムであって、
チャネル特定信号は、赤外線又はＦＭ波で送信されることを特徴とするコンテンツ無線中継システム。
【請求項９】
請求項５ないし８の何れか一記載のコンテンツ無線中継システムを構成する送信装置。
【請求項１０】
請求項５ないし８の何れか一記載のコンテンツ無線中継システムを構成する受信装置。
【請求項１１】
請求項１０記載の受信装置であって、該受信装置は、プロジェクタに内蔵され、再生信号をプロジェクタの既存回路に送り込むことを特徴する受信装置。
【請求項１２】
請求項１０記載の受信装置であって、該受信装置は、再生信号を、オーディオアンプ又はテレビの既存入力端子に送り込むことを特徴する受信装置。
【請求項１３】
ユーザ操作を受けてコンテンツを再生信号として再生処理する再生装置から、無線でコンテンツに関する再生信号を出力装置に送信して該出力装置でコンテンツを再現するコンテンツ再生方法であって、
コンテンツを再生処理する再生装置は、
コンテンツ送信に用いる使用するチャンネルの指定をユーザから予め受け付けて保持すると共に、
ユーザからのコンテンツの再生指示を受けて前記コンテンツを再生処理した再生信号を無線送信する際に、
コンテンツの送信に先だって前記出力装置に無線を用いて使用するチャネルの情報を送信し、その後に前記コンテンツを再生処理した再生信号を、指定したチャネルを用いて無線送信を行い、
前記出力装置は、前記出力されたチャネルの情報を判定して使用するチャネルを設定し、設定したチャネルで送られてくる再生信号を再現して出力する
ことを特徴とするコンテンツ再生方法。
【請求項１４】
ユーザ操作を受けてコンテンツを再生処理する再生装置から、無線でコンテンツに関する再生信号を出力装置に送信して該出力装置でコンテンツを再現するコンテンツ再生方法であって、
前記再生装置に接続される送信装置に、複数のチャネルを使用可能な無線送信手段と、受信装置に対して、前記無線送信手段を介して、ユーザから指定された使用するチャネルを示すチャネル特定信号を送信するチャネル送信手段と、前記再生装置からコンテンツの再生信号が入力される信号入力手段と、前記信号入力手段から入力される再生信号を、前記無線送信手段で送信可能な所定の信号に変換する信号変換手段とを設け、
前記出力装置に接続される受信装置に、複数のチャネルを使用可能な無線受信手段と、前記無線受信手段を介して、前記送信装置から送信された前記チャネル特定信号を受信し、使用するチャネルを判定するチャネル判定手段と、前記無線受信手段から入力される前記送信装置が送信したコンテンツが変換された信号を、再生信号に復号する信号復号手段と、前記出力装置に前記再生信号を出力する信号出力手段とを設け、
前記再生装置から再生信号を受けて無線送信する際に、
前記送信装置は、コンテンツの送信に先だって無線を用いて使用するチャネルの情報を送信し、
その後に前記再生信号を、チャネル特定信号で指定したチャネルを用いて無線送信を行い、
前記受信装置は、前記送信装置から出力されたチャネルの情報を判定して使用するチャネルを設定し、設定したチャネルで送られてくる無線信号を再生信号に復号して該再生信号を前記出力装置に送る
ことを特徴とするコンテンツ再生方法。
【請求項１５】
請求項１３ないし１４の何れか一記載のコンテンツ再生方法であって、
前記使用するチャネルの情報は、ユーザからの再生指示を受けた際に所定のビットパターンでコンテンツの送信に先だって無線送信することを特徴とするコンテンツ再生方法。
【請求項１６】
請求項１３ないし１５の何れか一記載のコンテンツ再生方法であって、
前記再生装置又は前記送信装置は、前記出力装置又は前記受信装置で使用するチャネルをロックするチャネルロック信号およびその解除を行なうロック解除信号を送信する手段を有し、
前記出力装置又は前記受信装置は、前記チャネルロック信号を受けた際に、ロック解除信号を受けるまで、使用するチャネルをロックする
ことを特徴とするコンテンツ再生方法。
【発明の詳細な説明】
【技術分野】
【０００１】
本発明は、コンテンツを再生処理する再生装置とコンテンツを再現する出力装置とを無線接続してコンテンツを再現可能とする無線通信システムおよびコンテンツ再生システムに関する。
【背景技術】
【０００２】
昨今、電磁的などで記録された様々なコンテンツを再生処理するコンテンツ再生システムが多数ある。コンテンツ再生システムは、大別すると、信号源であってコンテンツを再生処理する再生装置（パーソナルコンピュータ、モバイル携帯端末、映像再生装置全般、音声再生装置全般など）と再生信号を受信してコンテンツを再現する出力装置（プロジェクタ、オーディオアンプ、テレビ、映像再生装置全般、音声再生装置全般など）とで構成される。
【０００３】
コンテンツ再生システムを構成する再生装置と出力装置との接続は、一般にケーブルを用いて有線接続されている。そして、再生装置で再生処理された再生信号を出力装置に送っている。出力装置は、既存の製品（使用者が従前から有している製品）を有効利用するため、入力が規格化されており、対応する再生信号を入力することで、コンテンツとして記録されている映像や音響を再現できる。また、出力装置には、複数の入力チャネル（入力手段）を有する製品もある。複数の入力チャネルは、一般的に、ボタンや信号の自動認識などを用いて切り替えられている。
【０００４】
他方、コンテンツ再生システムを構成する再生装置と出力装置との接続を、無線技術を用いて接続するコンテンツ再生システムもある。無線技術を用いて接続するコンテンツ再生システムの一例としては、特許文献１が挙げられる。
【０００５】
特許文献１は、カーオーディオ等で使用されるシステムであって、再生装置であるパーソナルコンピュータや携帯電話などと出力装置である既存のオーディオとの接続を、ワイヤレスカセットアダプタを用いて無線接続を確立してコンテンツを再生可能としている。詳しくは、信号源としてのパーソナルコンピュータや携帯電話などとワイヤレスカセットアダプタとがブルートゥースやＦＭ、スペクトラム拡散、他のワイヤレスプロトコル等の既存の無線通信技術を用いて通信を確立し、当該確立した通信を用いてコンテンツの再生信号を送信することで、ワイヤレスカセットアダプタが既存のオーディオに対して再生信号を再生可能としている。また、必要に応じて、複数の再生装置とワイヤレスカセットアダプタとを接続可能とすることも記載されている。尚、特許文献１には、無線通信技術やコンテンツの再生装置などが多数記載されている。
【０００６】
また、無線通信技術には、テレビ等に用いられる赤外線（ＩＲ）を用いて、信号を通信する無線技術も知られている。
【０００７】
【特許文献１】特開２００５−３２２３９７号公報
【発明の開示】
【発明が解決しようとする課題】
【０００８】
上述のように、コンテンツ再生システムでは、複数の入力チャネルを求められる場合がある。しかしながら、複数の入力チャネルを有する製品は高価であったり、利便性に欠けたりする。
【０００９】
具体的には、出力装置であるプロジェクタと再生装置としてのパーソナルコンピュータとの関係を例に説明すると、プロジェクタを使用してパーソナルコンピュータの画面（画像、映像）を表示する際、一般的にＲＧＢケーブルにて両者を接続しているため、別のパーソナルコンピュータの画像を表示する場合にはＲＧＢケーブルを接続しなおす必要がある。また、ＲＧＢ入力が複数系統存在するプロジェクタにおいても、２台のパーソナルコンピュータからの画像入力信号を切り替えるにはＲＧＢケーブルを二本接続する必要がある。また、ボタンなどによってプロジェクタを操作して、チャネルの入力切替を行う必要があるという煩わしさがある。
【００１０】
ハイファイオーディオを例に説明すると、出力装置である据え置き型オーディオアンプには複数の再生装置（ＣＤプレーヤ、ＤＶＤプレーヤ、ＭＤプレーヤなど）がケーブルで接続されるのが一般的で、且つ再生するためには再生装置とアンプの両方の操作を行わなければならないという煩わしさがある。また、接続や操作の煩わしさからＣＤプレーヤなどは携帯型と据え置き型の両方を購入して所有しているユーザが多い。
【００１１】
また、特許文献１の様に、無線リンクを確立して通信する為には、複雑且つ高価なモジュールや回路を設ける必要がある。
【００１２】
本発明の目的は、上記問題に鑑みてなされたものであり、送信側、受信側の簡素化およびユーザビリティの向上を実現できるコンテンツ再生システムを提供できる。
【課題を解決するための手段】
【００１３】
本発明に係るコンテンツ再生システムは、ユーザ操作を受けてコンテンツを再生信号として再生処理する再生装置と、該再生装置から受けたコンテンツの再生信号を再現する出力装置とからなるコンテンツ再生システムであって、 
前記再生装置は、複数のチャネルを使用可能な無線送信手段と、前記出力装置に対して、前記無線送信手段を介して、使用するチャネルを示すチャネル特定信号を送信するチャネル送信手段とを含み、コンテンツ送信に用いる使用するチャンネルの指定をユーザから受け付けて保持すると共に、ユーザからのコンテンツの再生指示を受けて前記コンテンツを再生処理した再生信号を無線送信する際に、コンテンツの送信に先だって再生チャンネルの特定に用いるチャネル特定信号を送信し、その後に前記コンテンツを再生処理した再生信号を、チャネル特定信号で指定したチャネルを用いて無線送信を行い、 
前記出力装置は、複数のチャネルを使用可能な無線受信手段と、前記無線受信手段を介して、前記再生装置から送信された前記チャネル特定信号を受信し、使用するチャネルを判定するチャネル判定手段と、を含み、前記再生装置から送信された前記チャネル特定信号を検出できた際に、該チャネル特定信号で特定されたチャネルを選定すると共に、選定したチャネルから入力されてくる再生信号を前記ユーザに対して再現する 
ことを特徴とする。
【００１４】
本発明に係るコンテンツ無線中継システムは、ユーザ操作を受けてコンテンツを再生信号として再生処理する再生装置と、該再生装置から受けた再生信号を受けてコンテンツをユーザに再現する出力装置と、を無線接続してコンテンツを再現可能とする送信装置および受信装置からなるコンテンツ無線中継システムであって、 
前記送信装置は、複数のチャネルを使用可能な無線送信手段と、コンテンツ送信に用いる使用するチャンネルの指定を行なう入力手段と、前記受信装置に対して、前記無線送信手段を介して、前記入力手段から指定された使用するチャネルを示すチャネル特定信号を送信するチャネル送信手段と、前記再生装置からコンテンツの再生信号が入力される信号入力手段と、前記信号入力手段から入力される再生信号を、前記無線送信手段で送信可能な所定の信号に変換する信号変換手段とを備え、 
前記受信装置は、複数のチャネルを使用可能な無線受信手段と、前記無線受信手段を介して、前記送信装置から送信された前記チャネル特定信号を受信し、使用するチャネルを判定するチャネル判定手段と、前記無線受信手段から入力される前記送信装置が送信したコンテンツが変換された信号を、再生信号に復号する信号復号手段部と、前記出力装置に前記再生信号を出力する信号出力手段とを備え、 
前記再生装置から再生信号を受けて無線送信する際に、前記送信装置は、コンテンツの送信に先だって再生チャンネルの特定に用いるチャネル特定信号を送信し、その後に前記再生信号を、チャネル特定信号で指定したチャネルを用いて無線送信を行い、前記受信装置は、前記送信装置から送信された前記チャネル特定信号を検出できた際に、該チャネル特定信号で特定されたチャネルを選定すると共に、選定したチャネルから入力されてくる無線信号を再生信号に復号して、前記出力装置に出力する 
ことを特徴とする。
【発明の効果】
【００１５】
本発明によれば、無線を用いるコンテンツ再生システムにおいて、送信側、受信側の簡素化およびユーザビリティの向上を実現できる。
【発明を実施するための最良の形態】
【００１６】
本発明の実施の一形態を図１ないし図５に基づいて説明する。
【００１７】
図１は本発明の実施の一形態のコンテンツ再生システムを例示する概略図である。図１では、２台のパーソナルコンピュータ１１及び１２と１台のモバイル端末１３とを再生装置１０として配置し、プロジェクタ２１、アンプ２３、大画面テレビ２５を出力装置２０として配置した場合を示している。
【００１８】
パーソナルコンピュータ１１には、送信装置１１０が接続されている。また、パーソナルコンピュータ１２には、送信装置１２０が接続されている。モバイル端末１４には、送信装置１３０（図示せず）の機能が内蔵されて設けられている。プロジェクタ２１には、受信装置２１０（図示せず）の機能が内蔵されて設けられている。アンプ２３には、受信装置２３０が接続されている。大画面テレビ２５には、受信装置２５０が接続されている。
【００１９】
再生装置１０としてのパーソナルコンピュータ１１、１２は、一般的なパーソナルコンピュータであって、夫々内蔵するドライブやネットワークから電気的、電磁的、光学的などで記録されたコンテンツを取得し、音響や映像として再生可能である。また、当該再生するコンテンツを再生信号として外部出力可能である。
【００２０】
再生装置１０としてのモバイル端末１３は、一般的なモバイル端末（携帯電話、ＰＨＳ、ＰＤＡ等）と略同様であり、内蔵するＲＡＭや増設されたフラッシュロムカード、ネットワークなどから電気的などで記録されたコンテンツを取得し、音響や映像として再生可能であり、内蔵する送信装置１３０に再生信号として送信可能である。また、モバイル端末１３は、設けられている入力部を介して使用者が入力する使用するチャネルを送信装置１３０にチャネル選択信号として送信可能である。
【００２１】
上記例示以外にも、再生装置１０として、音響や音声、映像、画像の再生装置全般が使用でき、例えば、ＣＤプレーヤ、ＭＰ３プレーヤ、ＭＤ（ミニディスク）プレーヤ、ＤＶＤプレーヤ、ビデオデッキ、ＢｌｕｅＲａｙＤｉｓｋプレーヤ、ポータブルビデオなどが挙げられる。
【００２２】
出力装置２０としてのプロジェクタ２１は、一般的なプロジェクタと略同様であり、内蔵する受信装置２１０から入力される再生信号をスクリーン２２に投射して映像を再現可能である。
【００２３】
出力装置２０としてのアンプ２３は、一般的なステレオアンプであって、接続された受信装置２３０から入力される再生信号を増幅してスピーカに送信して音響を再現可能である。
【００２４】
出力装置２０としての大画面テレビ２５は、一般的なテレビであって、接続された受信装置２５０から入力される再生信号を画面に表示して映像を再現可能であると共に、内蔵するスピーカで音響を再現可能である。
【００２５】
上記例示以外にも、出力装置２０として、音響や音声、映像、画像の出力装置全般が使用でき、例えば、パーソナルコンピュータ用ディスプレイ、ＡＶアンプ、カーオーディオシステム、ラジオカセットなどが挙げられる。
【００２６】
送信装置１１０、１２０、１３０は、使用する無線のチャネルを指定するチャネル特定信号を送信可能である。また、夫々の再生装置１０としてのパーソナルコンピュータ１１、１２、モバイル端末１３から、記録されたコンテンツを再生信号として受けて、無線を用いて再生信号が含まれる情報を送信可能である。送信装置１１０、１２０、１３０は、略同様の構成であり、再生装置１０との接続部分のインターフェイスのみに差が在る。以降、図２を用いて後述する送信装置１００を用いて送信装置１１０、１２０、１３０をまとめて説明する。尚、夫々の再生装置１０との接続部分のインターフェイスは、既存技術である為、信号入力部１０１とまとめて記載し、詳細な説明を省略する。
【００２７】
受信装置２１０、２３０、２５０は、無線を介して送信装置１１０、１２０、１３０等から受信するチャネル特定信号を判定可能である。また、再生信号が含まれる情報を再生信号として復号し、復号した再生信号をプロジエクタ２１の再生回路やアンプ２３及びテレビ２５の入力端子に出力可能である。
【００２８】
受信装置２１０、２３０、２５０は、略同様の構成であり、出力装置２０との接続部分のインターフェイスのみに差が在る。以降、図３を用いて後述する受信装置２００を用いて受信装置２１０、２３０、２５０をまとめて説明する。尚、それぞれの出力装置２０との接続部分のインターフェイスは、既存技術である為、信号出力部２０４とまとめて記載し、詳細な説明を省略する。
【００２９】
図２は、送信装置１００を示す機能ブロック図の例である。
【００３０】
送信装置１００は、再生装置１０からコンテンツの再生信号が入力される信号入力部１０１と、信号入力部１０１から入力される再生信号を無線で送信可能な所定の信号に変換する信号変換部１０２と、使用者から使用するチャネルの設定が入力される入力部１０３と、出力装置２０に対して入力部１０３から入力されたチャネルを無線で送信可能な所定の信号に生成するチャネル送信部１０４と、複数のチャネルを使用可能であって、信号変換部１０２とチャネル送信部１０４から入力された信号を無線で送信する無線送信部１０５とを備えている。
【００３１】
信号入力部１０１は、再生装置１０とのインターフェイスである。信号入力部１０１は、再生装置１０の機能によって再生されたコンテンツの再生信号を受け、信号変換部１０２に送る。また、信号入力部１０１は、再生装置１０からチャネル選択信号が送信された場合、送信されたチャネル選択信号を受け、チャネル送信部１０４に送る。
【００３２】
信号変換部１０２は、信号入力部１０１から送られた再生信号を無線送信部１０５で無線に変換して送信できる所定の形式に変換処理して、変換処理した再生信号が含まれる信号を無線送信部１０５に送る。
【００３３】
入力部１０３には、使用者が複数ある予め定めてある使用可能なチャネル（チャネル群）の中から、使用するチャネルを選択するボタン等が設けてある。尚、ボタン以外でもよく、例えば、スイッチでも良いし、使用するチャネルが選択できればどのような入力手段でも良い。また、送信装置１００が信号入力部１０１を介してチャネル選択信号を取得する場合には、入力部１０３を設けなくても良い。即ち、チャネル選択信号を信号入力部１０１で受信しない場合、入力部１０３を使用する。
【００３４】
入力部１０３は、設けられているボタン等によって入力された使用するチャネルを、チャネル送信部１０４に送る。また、必要に応じて、再生や停止、早送り、巻戻し、ミュート、音量アップ、音量ダウン等を設けても良い。再生や停止などの入力は、入力信号部１０１を介して再生装置１０に送られ、再生装置１０を操作する。また、ミュート等の入力は、無線を介して出力装置２０に送信できる様にしても良い。
【００３５】
チャネル送信部１０４は、入力部１０３からの入力又は信号入力部１０１を介して再生装置１０から入力されたチャネル選択信号に基づいて、無線送信部１０５で送信できる所定の形式の信号であるチャネル特定信号を生成し、生成したチャネル特定信号を無線送信部１０５に送る。チャネル特定信号は、無線に赤外線を用いるなら、従来からテレビやビデオの同様に所定のビット（パルスと時間）の組み合わせで生成しても良いし、ＩｒＤＡに準拠する形式でデジタルデータとして生成しても良い。具体的には、チャネル毎にカスタムビットコードやデータコードを割り当て、リーダ起動コードを設定してメモリに記憶しておき、入力部１０３からの入力または信号入力部１０１から入力されたチャネル選択信号を受けた場合に、設定したコードでビット列を生成すればよい。また、ＩｒＤＡの場合は、入力されたチャネル番号をそのままデジタルデータとして送信すればよい。無線にＦＭ波や他の電波を使用する場合も同様である。
【００３６】
無線送信部１０５は、チャネル送信部１０４から受けるチャネル特定信号に基づいて使用するチャネルを選択し、選択したチャネルを用いてチャネル特定信号を無線送信する。無線送信部１０５は、チャネル特定信号を送信後、信号変換部１０２から受ける再生信号が含まれる信号を無線送信する。尚、使用する無線技術は、チャネル特定信号の送信にはＩｒＤＡ技術やＦＭトランスミッタを用いればよい。また、画像や画像の送信であれば、Wireless High-definition Interface（ＷＨＤＩ）(登録商標)技術や超広域帯無線 (ＵＷＢ) 技術などを用いればよい。また、音響の送信であれば、ＦＭトランスミッタや、特許文献１に挙げられた技術等を用いればよい。また、複数の無線通信技術を用いても良い。即ち、送信する信号（信号量や要求速度）にあわせて、無線技術を適時選択すればよい。例えば、チャネル特定信号を赤外線通信で第１の無線信号として送信し、その後コンテンツに関する通信を第２の無線信号としてＵＷＢで送信すれば、送信する信号にあわせた無線技術を適時選択したことになる。
【００３７】
送信装置１００の動作を、再生装置１０によって再生される映像を出力装置２０に表示させたい場合として例示する。
【００３８】
送信装置１００は、使用者によって入力部１０３に入力されたチャネルを、チャネル送信部１０４、無線送信部１０５を介してチャネル特定信号を無線で送信する。その後、送信装置１００は、信号入力部１０１を用いて、再生装置１０から再生信号を受け、信号変換部１０２、無線送信部１０５を介してコンテンツが変換された無線信号を送信する。
【００３９】
図３は、受信装置２００を示す機能ブロック図の例である。
【００４０】
受信装置２００は、複数のチャネルを使用可能な無線受信部２０１と、無線受信部２０１を介してチャネル特定信号を受信して使用するチャネルを判定するチャネル判定部２０２と、無線受信部２０１から入力される送信装置１０が送信したコンテンツが変換された無線信号を復号する信号復号部２０３と、再生信号を出力装置２０に出力する信号出力部２０４とを備えている。
【００４１】
無線受信部２０１は、送信装置１００の使用可能なチャネルと対応する複数のチャネルを使用可能であって、受信した無線信号をチャネル判定部２０２に送る。また、チャネル判定部２０２で指定されたチャネルのコンテンツが変換された無線信号を信号復号部２０３に送る。
【００４２】
チャネル判定部２０２は、無線受信部２０１を介してチャネル特定信号を受信して指定されたチャネルを判定し、使用するチャネルを設定する。チャネル判定部２０２は、設定したチャネルを必要に応じて無線受信部２０１及び信号復号部２０３に送る。
【００４３】
信号復号部２０３は、無線受信部２０１から入力されるコンテンツが変換された信号を再生信号に復号し、信号出力部２０４に送る。信号復号部２０３は、必要に応じて、チャネル判定部２０２で設定されたチャネルをコンテンツの再生信号に付与して信号出力部２０４に送る。
【００４４】
信号出力部２０４は、出力装置２０とのインターフェイスである。信号出力部２０４は、信号復号部２０３から受けた再生信号を、出力装置２０に送る。
【００４５】
受信装置２００の動作を、再生装置１０によって再生される映像を出力装置２０に表示させたい場合として例示する。
【００４６】
受信装置２０は、無線信号、無線受信部２０１を介して送信装置１０から送信されたチャネル特定信号を受信する。チャネル判定部２０２は、チャネル特定信号を判定し、指定されたチャネルを無線受信部２０１及び信号復号部２０３に送る。無線受信部２０１は、指定されたチャネルで送信されてくる無線信号（コンテンツが変換された信号）を信号復号部２０３に送る。信号復号部２０３は、コンテンツが変換された信号を再生信号に復号処理し、信号出力部２０４に送る。信号出力部２０４は、出力装置２０に再生信号を出力する。
【００４７】
このような構成において、本発明の実施の一形態であるコンテンツ再生システムは、送信側、受信側の簡素化およびユーザビリティの向上を実現できる。
【００４８】
以下にシステム全体の動作を説明すると共に、使用者の操作例を示す。
【００４９】
図４は、送信装置１００を内蔵する再生装置１０と受信装置２００を内蔵する出力装置２０とで構成されるコンテンツ再生システムの動作を示すシーケンス図の例である。
【００５０】
使用者は、再生装置１０を操作してチャネル（例えばＣｈ１）を特定すると共に、再生装置１０を用いてコンテンツを再生する。
【００５１】
このとき、再生装置１０は、入力部に入力されたチャネル（例えばＣｈ１）をチャネル送信部１０４でチャネル特定信号として生成し、入力されたチャネルのチャネル特定信号を無線送信部１０５に送り、無線送信部１０５から無線信号として送信する（ステップＳ４０１）。
【００５２】
受信装置２００は、無線信号で送られてきたチャネル特定信号を受信する（ステップＳ４０２）。
【００５３】
受信装置２００のチャネル判定部２０２は、チャネル特定信号を判定し、使用するチャネルを設定する（ステップＳ４０３）。
【００５４】
再生装置１０は、チャネル特定信号を送信後、コンテンツを再生処理する（ステップＳ４０４）。尚、チャネル特定信号の送信とコンテンツの再生は、何れを先に行っても良い。
【００５５】
再生装置１０は、設定したチャネルで無線信号（コンテンツが変換された信号）を送信する（ステップＳ４０５）。
【００５６】
出力装置２０は、受信装置２００を用いて、チャネルの設定後、設定されたチャネルで無線信号（コンテンツが変換された信号）を受信し、信号復号部２０３で復号処理し、再生信号を抽出する（ステップＳ４０６）。
【００５７】
出力装置２０は、抽出されたコンテンツの再生信号を用い、コンテンツを再現する（ステップＳ４０７）。
【００５８】
図５は、送信装置１００と受信装置２００からなる無線通信システムを使用したコンテンツ再生システムの動作を示すシーケンス図の例である。
【００５９】
使用者は、再生装置１０の入力部を操作し、チャネル（例えばＣｈ１０）を特定し、再生装置１０を用いてコンテンツを再生する。
【００６０】
このとき、再生装置１０は、入力部に入力されたチャネル（例えばＣｈ１０）を、チャネル選択信号として、送信装置１００に入力する（ステップＳ５０１）。
【００６１】
送信装置１００は、チャネル選択信号として入力されたチャネルをチャネル特定信号として生成し、入力されたチャネルのチャネル特定信号を無線送信部１０５に送り、無線送信部１０５から無線信号として送信する（ステップＳ５０２）。
【００６２】
受信装置２００は、無線信号で送られてきたチャネル特定信号を受信する（ステップＳ５０３）。
【００６３】
受信装置２００のチャネル判定部２０２は、チャネル特定信号を判定し、使用するチャネルを設定する（ステップＳ５０４）。
【００６４】
再生装置１０は、コンテンツを再生処理し、送信装置に再生信号を出力する（ステップＳ５０５）。尚、チャネル特定信号の送信前に、コンテンツの再生を行っても良い。
【００６５】
送信装置１００は、設定したチャネルで無線信号（コンテンツが変換された信号）を送信する（ステップＳ５０６）。
【００６６】
受信装置２００は、設定されたチャネルで無線信号（コンテンツが変換された信号）を受信し、信号復号部２０３で復号処理する（ステップＳ５０７）。
【００６７】
受信装置２００は、出力装置２０に再生信号を出力する（ステップＳ５０８）。
【００６８】
出力装置２０は、入力されたコンテンツの再生信号を用い、コンテンツを再現する（ステップＳ５０９）。
【００６９】
次に、図１のコンテンツ再生システムを用いて、複数の利用者が関係する場合のシステムの動作を説明する。
【００７０】
パーソナルコンピュータ１１の第１の使用者は、使用するチャネル（例えばＣｈ１）を入力後、コンテンツを再生する。
【００７１】
パーソナルコンピュータ１１と送信装置１１０は、Ｃｈ１を特定するチャネル特定信号を送信し、その後コンテンツを再生して無線信号（コンテンツが変換された信号）を送信する。
【００７２】
プロジエクタ２１と受信装置２１０は、無線信号で送られてきたチャネル特定信号を判定し、使用するＣｈ１を設定し、設定されたチャネルで無線信号（コンテンツが変換された信号）を受信し、復号処理し、コンテンツを再現する。
【００７３】
プロジエクタ２１がパーソナルコンピュータ１１のコンテンツを再現中に、パーソナルコンピュータ１２の利用者がプロジエクタ２１を使用する場合は、次の様に動作する。
【００７４】
パーソナルコンピュータ１２の第２の使用者は、使用するチャネル（例えばＣｈ２）を入力後、コンテンツを再生する。
【００７５】
パーソナルコンピュータ１２と送信装置１２０は、Ｃｈ２を特定するチャネル特定信号を送信し、その後コンテンツを再生して無線信号（コンテンツが変換された信号）を送信する。
【００７６】
プロジエクタ２１と受信装置２１０は、無線信号で送られてきたチャネル特定信号を判定し、使用するチャネルをＣｈ１からＣｈ２に変更し、変更されたチャネルで無線信号（コンテンツが変換された信号）を受信し、復号処理し、コンテンツを再現する。
【００７７】
再び、パーソナルコンピュータ１１の第１の使用者や別の再生装置１０の使用者が、プロジエクタ２１を使用する場合は、上記動作と同様な動作をすれば、プロジエクタ２１を使用できる。
【００７８】
このように動作することで、パーソナルコンピュータの操作のみで、プロジエクタ２１の使用者の交代を可能とできる。即ち、コンテンツに関する信号を送信する前に、予め定められた形式のチャネル特定信号を送信することで、プロジエクタのチャネル設定を行えるところに特徴がある。これは、一つの出力装置を多数の使用者が入れ替わり使用する場合に、特に有用である。
【００７９】
具体的には、プレゼンテーション時など会議等で複数人がパーソナルコンピュータを持参しており、順番で各々のパーソナルコンピュータの画像をプロジェクタに表示させたい場合では、ＲＧＢケーブルを接続しなおす手間が省ける。同じく、表示画像切替の際のプロジェクタ側の操作が省ける。更に、会議室内のどの位置からでもパーソナルコンピュータの画像の表示可能とし、プロジェクタの操作が実施できる。
【００８０】
他にも複数の映像再生装置とテレビジョンとの通信、複数のパーソナルコンピュータと据え置き型ディスプレイとの通信など、多くの場面において本発明が使用可能である。
【００８１】
以上説明したように本実施の一形態によれば、無線を用いるコンテンツ再生システムにおいて、送信側、受信側の簡素化およびユーザビリティの向上を実現できる。また、複数のチャネルを予め定めているため、使用時に同調を必要としない。
【００８２】
尚、上記実施の一形態の説明では、再生装置１０を２台として出力装置２０を１台としたが、再生装置１０を１台として出力装置２０を複数台としてもよい。  このときは、複数の出力装置２０に同一のチャネル特定信号を通知して、コンテンツを再生することで、複数の出力装置２０に同一の音響や映像を表示できる。また、出力装置２０毎にチャネルを設定しても良い。この場合は、再生装置１０は、例えば、音響はＣｈ１を使用し、映像はＣｈ２を使用して出力装置２０毎にコンテンツを送信すればよい。
【００８３】
即ち、出力装置２０が複数台存在している場合、複数の出力装置２０での信号の同時受信、画像の同時表示を行うことが可能である。信号源である再生装置１０、出力装置２０とも台数に制限は無く、コンテンツ再生システムのチャネル数を増やすことにより多数台の装置間での通信も可能になる。
【００８４】
具体的には、会場が広いなどの理由で複数のプロジェクタやディスプレイが必要になる場合などにおいて、パーソナルコンピュータを複数のプロジェクタやディスプレイと無線接続して、容易に画面の表示が可能となる。
【００８５】
同様に、受信装置とアンプを内蔵したスピーカ等を使用することで、コンサート会場やイベント会場などで複数台のスピーカを広範囲に渡って設置が必要な時などの場合、広範囲の配線が不要となり、会場設定が大幅に簡素化できる。
【００８６】
また、複数の携帯型プレーヤ等とオーディオアンプとをケーブルを介して接続することなく、複数の携帯型プレーヤ等で再生する再生信号を自在に切り替えて再生可能である。
【００８７】
上記したコンテンツ再生システムもしくは無線通信システムでは、受信装置はチャネル特定信号を識別する毎に指定されたチャネルに切り替わる。しかし、使用中に他人に切り替えられることが問題となる場合もある。このような場合には、チャネルをロックするチャネルロック信号を送信装置から送信可能とし、受信装置がチャネルロック信号を判別可能とすればよい。このようにすれば、使用中に他人に切り替えられることがなくなる。この場合には、受信装置に直接入力するか、送信装置からロック解除信号を送信するまで、受信装置はチャネルの切り替えを受け付けない。尚、チャネルロック信号やロック解除信号は、チャネル特定信号と同様にチャネル送信部１０４で生成すればよい。
【００８８】
尚、上記したチャネルは、固定の周波数帯毎に設定（周波数分割）しても良いし、時分割や符号分割しても良い。
【図面の簡単な説明】
【００８９】
【図１】本発明の実施の一形態のコンテンツ再生システムを例示する概略図である。
【図２】送信装置を示す機能ブロック図である。
【図３】受信装置を示す機能ブロック図である。
【図４】送信装置を内蔵する再生装置と受信装置を内蔵する出力装置とで構成されるコンテンツ再生システムの動作を示すシーケンス図である。
【図５】送信装置と受信装置からなる無線通信システムを使用したコンテンツ再生システムの動作を示すシーケンス図である。
【符号の説明】
【００９０】
１０    再生装置
１１、１２  パーソナルコンピュータ
１３    モバイル端末
２０    出力装置
２１    プロジェクタ
２２    スクリーン
２３    アンプ
２４    スピーカ
２５    テレビ
１００、１１０、１２０  送信装置
１０１  信号入力部
１０２  信号変換部
１０３  入力部
１０４  チャネル送信部
１０５  無線送信部
２００、２３０、２５０  受信装置
２０１  無線受信部
２０２  チャネル判定部
２０３  信号復号部
２０４  信号出力部
【図１】
0005023396.tif 000002
【図２】
0005023396.tif 000003
【図３】
0005023396.tif 000004
【図４】
0005023396.tif 000005
【図５】
0005023396.tif 000006